(57)【要約】      （修正有）【課題】受光面積率を減少させることなく、太陽電池セルを自在に配置することができる太陽電池モジュールを提供する。【解決手段】太陽電池モジュールは、複数の太陽電池セル２０と、複数の配線層部と、を備える。太陽電池セルの一方の主面には受光面が設けられる。また、他方の主面には電極パターン２５が設けられる。配線層部には、電極パターン２５と電気的に接続される配線パターン３２が設けられる。略矩形の配線層部の隅部には、配線パターン３２の出力端となる出力電極が設けられる。【選択図】図５
2014049724.tif 000002
【特許請求の範囲】
【請求項１】
一方の主面に受光面が設けられるとともに、他方の主面に電極パターンが設けられる複数の太陽電池セルと、
前記電極パターンと電気的に接続される配線パターンが設けられる複数の配線層部と、
を備え、
略矩形の前記配線層部の隅部に、前記配線パターンの出力端となる出力電極が設けられることを特徴とする太陽電池モジュール。
【請求項２】
前記太陽電池セルと、前記配線層部と、発電時に流れる電流をバイパスするためのバイパス素子と、を含む太陽電池サブモジュールを複数備え、
各太陽電池サブモジュールにおいて、前記バイパス素子の一端が前記太陽電池サブモジュールの負極側の出力端に接続され、前記バイパス素子の他端が前記太陽電池サブモジュールの正極側の出力端に接続されることを特徴とする請求項１に記載の太陽電池モジュール。
【請求項３】
前記出力電極は、前記配線パターンの負極となる第１出力電極と、前記配線パターンの正極となる第２出力電極と、有し、
前記受光面の略法線方向から見た平面視において、前記第１及び第２出力電極の平面形状が異なることを特徴とする請求項１又は請求項２に記載の太陽電池モジュール。
【請求項４】
前記配線層部の一方の主面上に前記出力電極が設けられるとともに、他方の主面上に前記出力電極以外の前記配線パターンが設けられ、
前記配線層部に形成される貫通孔を通じて、前記出力電極は該出力電極以外の前記配線パターンと電気的に接続されることを特徴とする請求項１〜請求項３のいずれかに記載の太陽電池モジュール。
【請求項５】
前記受光面の略法線方向から見た平面視において、前記出力電極は、前記太陽電池セルと重なる領域に設けられることを特徴とする請求項４に記載の太陽電池モジュール。
【発明の詳細な説明】
【技術分野】
【０００１】
本発明は、太陽電池モジュールに関する。
【背景技術】
【０００２】
現在、ＳｉやＧａＡｓをはじめとする各種の半導体材料を主成分とする太陽電池セルが開発され、個人住宅や公共施設へ電力を供給する地上電力用、人工衛星等の電源として利用される宇宙用、時計や電卓等の電源として利用される民生用など、幅広い用途に実用化されている。しかし、どのような用途においても、太陽電池セル単体で使用されることは稀であり、取扱い性や信頼性確保の観点から、複数の太陽電池セルが接続され、ガラスや樹脂等で封止された太陽電池モジュールの形態で使用されることが一般的である。
【０００３】
従来の太陽電池モジュールでは、通常、一方向に並んで配置される太陽電池セルが直列接続される。さらに、直列接続された太陽電池セルの各列間は接続用配線を介して電気的に接続される。たとえば、特許文献１及び２では、インターコネクタと呼ばれる接続用配線を用いて、太陽電池セル間及び太陽電池セルストリング間を電気的に接続することを開示している。
【先行技術文献】
【特許文献】
【０００４】
【特許文献１】特開２０１０−１９２５７２号公報
【特許文献２】特開２００５−１９１１８６号公報
【発明の概要】
【発明が解決しようとする課題】
【０００５】
しかしながら、従来の太陽電池モジュールでは、太陽電池セルを自在に配置しようとすると、太陽電池モジュールの光入射面の面積に対する各太陽電池セルの受光面の総面積の比率が減少するという問題があった。たとえば、直列接続する第１方向とは異なる第２方向に配置された太陽電池セル間を電気的に接続しようとすると、第２方向に配置された太陽電池セル間の接続用配線がより長くなり、さらに、第２方向での太陽電池セル間の間隔が第１方向での間隔よりも広くなる。この場合、光入射面の面積に対する太陽電池セル間の隙間面積の比率が増加するため、相対的に、受光面の総面積の比率は減少する。
【０００６】
このような問題に対して、特許文献１では、両面電極型の太陽電池セルの受光面上の電極の長手方向と非受光面上の電極の長手方向とが互いに直交するように、これらの電極を形成することにより、各太陽電池セルの接続方向の自由度を高めている。ところが、このような電極の配線構造を裏面電極型の太陽電池セルに適用することはできない。また、各太陽電池セルの配置に応じて配線構造を形成する必要があるため、各太陽電池セルの電極パターンを形成する工程が煩雑となり、手間が掛かる。また、特許文献２では、上述のような問題に対してなんら考慮はなされていない。
【０００７】
本発明は上記の問題を鑑みてなされたものであり、受光面積率を減少させることなく、太陽電池セルを自在に配置することができる太陽電池モジュールを提供することを目的とする。
【課題を解決するための手段】
【０００８】
上記目的を達成するために、本発明の太陽電池モジュールは、一方の主面に受光面が設けられるとともに、他方の主面に電極パターンが設けられる複数の太陽電池セルと、前記電極パターンと電気的に接続される配線パターンが設けられる複数の配線層部と、を備え、略矩形の前記配線層部の隅部に、前記配線パターンの出力端となる出力電極が設けられることを特徴とする。
【０００９】
上記構成において、前記太陽電池セルと、前記配線層部と、発電時に流れる電流をバイパスするためのバイパス素子と、を含む太陽電池サブモジュールを複数備え、各太陽電池サブモジュールにおいて、前記バイパス素子の一端が前記太陽電池サブモジュールの負極側の出力端に接続され、前記バイパス素子の他端が前記太陽電池サブモジュールの正極側の出力端に接続されてもよい。
【００１０】
また、上記構成において、前記出力電極は、前記配線パターンの負極となる第１出力電極と、前記配線パターンの正極となる第２出力電極と、有し、前記受光面の略法線方向から見た平面視において、前記第１及び第２出力電極の平面形状が異なってもよい。
【００１１】
また、上記構成において、前記配線層部の一方の主面上に前記出力電極が設けられるとともに、他方の主面上に前記出力電極以外の前記配線パターンが設けられ、前記配線層部に形成される貫通孔を通じて、前記出力電極は該出力電極以外の前記配線パターンと電気的に接続されてもよい。
【００１２】
さらに、前記受光面の略法線方向から見た平面視において、前記出力電極は、前記太陽電池セルと重なる領域に設けられてもよい。
【発明の効果】
【００１３】
本発明によれば、受光面積率を減少させることなく、太陽電池セルを自在に配置することができる太陽電池モジュールを提供することができる。
【図面の簡単な説明】
【００１４】
【図１】第１実施形態に係る太陽電池モジュールを光入射面側から見た概略平面図である。
【図２】第１実施形態に係る太陽電池モジュールの断面構造図である。
【図３】第１実施形態に係る太陽電池モジュールを裏面側から見た概略平面図である。
【図４】太陽電池モジュールを構成する各太陽電池サブモジュールの構成例を示す概略平面図である。
【図５】第１実施形態において太陽電池セルが配線シートに実装された構造の一例を示す断面構造図である。
【図６】第１実施形態において太陽電池セルが実装される配線シートの一例を示す概略平面図である。
【図７】太陽電池セルの裏面に形成される電極パターンの一例を示す概略平面図である。
【図８】第１実施形態において配線シートに形成される配線パターンの一例を示す概略平面図である。
【図９】第２実施形態において太陽電池セルが実装された配線シートの一例を示す概略平面図である。
【図１０】第３実施形態において太陽電池セルが実装された配線シートの一例を示す概略平面図である。
【図１１】配線パターンと出力電極とを接続するビアホールの一例を示す局所断面図である。
【発明を実施するための形態】
【００１５】
以下に、本発明の実施形態について図面を参照して説明する。なお、以下の実施形態では、太陽光が入射する太陽電池モジュール１の主面を光入射面１ａと呼び、光入射面１ａと反対側の主面を裏面１ｂと呼ぶ。また、図面において、Ｘ方向及びＹ方向は光入射面１ａの略平面方向を示し、Ｚ方向は光入射面１ａの略法線方向を示している。Ｘ方向、Ｙ方向、及びＺ方向はそれぞれ直交している。
＜第１実施形態＞
【００１６】
本発明の第１実施形態について説明する。図１は、第１実施形態に係る太陽電池モジュールを光入射面側から見た概略平面図である。図２は、第１実施形態に係る太陽電池モジュールの断面構造図である。図３は、第１実施形態に係る太陽電池モジュールを裏面側から見た概略平面図である。なお、図２は、図１の一点鎖線Ａ−Ａにおける太陽電池モジュール１の断面構造を示している。また、図３は、図１とは反対方向から見ているため、図１とは左右対称となっている。また、図１〜３では、後述する電極パターン２５、及び出力電極３２４以外の配線パターン３２の図示は省略されている。また、図１及び図３の破線は、太陽電池モジュール１の発電時に流れる電流（以下では出力電流と呼ぶ。）の経路を示している。
【００１７】
図１〜図３に示すように、太陽電池モジュール１は、太陽電池サブモジュール２と、基板５と、封止部材６と、バックシート７、端子ボックス８と、枠体９と、を備えている。
【００１８】
太陽電池サブモジュール２は、太陽電池セル２０と、配線シート３０と、バイパスダイオード４１と、インターコネクタ４２と、を含んで構成される太陽電池構造体である。太陽電池サブモジュール２は、４つの太陽電池サブモジュール２ａ〜２ｄを含んで構成されている。各太陽電池サブモジュール２ａ〜２ｄにおいて、各太陽電池セル２０は、配線シート３０及びインターコネクタ４２を介して電気的に直列接続されている。なお、太陽電池サブモジュール２の具体的な構成については後述する。
【００１９】
基板５は、透光性を有する板状の表面保護部材である。この基板５の材料には、たとえばガラス又は樹脂材料などが用いられる。図２に示すように、基板５の裏面１ｂ側の主面には、太陽電池サブモジュール２を封止する封止部材６、及びバックシート７が順に設けられている。
【００２０】
封止部材６は透光性を有する充填層である。封止部材６は、太陽電池サブモジュール２を挟んで封止する第１及び第２封止部材６１、６２を含んで構成される。本実施形態では、第１及び第２封止部材６１、６２はＥＶＡ(エチレン酢酸ビニル共重合樹脂)を用いて形成されている。なお、第１及び第２封止部材６１、６２の材料は、本実施形態に限定されない。他の材料（たとえば、アイオノマー樹脂、ポリオレフィン樹脂、その他の透明な樹脂材料）が用いられてもよい。
【００２１】
バックシート７は、太陽電池モジュール１の裏面１ｂを保護するための裏面保護部材である。バックシート７の材料は特に限定しないが、たとえば、ＰＥＴ等の樹脂材料であってもよい。また、バックシート７は、金属材料（たとえばＡｌ）などを用いて形成されるバリア層を含んで構成されていてもよい。
【００２２】
端子ボックス８は、出力用配線８１を通じて太陽電池サブモジュール２の出力電流を取り出し、外部に出力するための出力インターフェースである。図３に示すように、端子ボックス８は、４つの端子ボックス８ａ〜８ｄを含んで構成されている。これらは、バックシート７の裏面１ｂ側の主面上に設けられている。各端子ボックス８ａ〜８ｄは、４つの太陽電池サブモジュール２ａ〜２ｄの各々に対応して１つずつ設けられている。また、各端子ボックス８ａ及び８ｄには、出力用配線８１が設けられている。
【００２３】
枠体９は、太陽電池モジュール１本体の外周縁に嵌め込まれて取り付けられる枠状部材である。枠体９は、たとえばアルミニウムを用いて、押し出し加工によりその断面形状が枠状となるように形成されている。
【００２４】
次に、太陽電池サブモジュール２の構成について詳しく説明する。図４は、太陽電池サブモジュールの構成例を示す概略平面図である。なお、図４の破線は、太陽電池モジュール１の発電時に太陽電池サブモジュール２（及び太陽電池セル２０）を流れる出力電流の経路を示している。また、図４では、後述する電極パターン２５、及び出力電極３２４以外の配線パターン３２の図示は省略されている。
【００２５】
図４に示すように、各太陽電池サブモジュール２ａ〜２ｄは、５つの太陽電池セル２０及び５つの配線シート３０を有している。これら４つの太陽電池サブモジュール２ａ〜２ｄを組み合せて配置することにより、２０個の太陽電池セル２０及び配線シート３０が５行４列のマトリクス状に配置されている（図１参照）。なお、本実施形態では、太陽電池セル２０を実装する各配線シート３０がほぼ隙間なく並べられているが、本発明の適用範囲はこの構成例に限定されない。各配線シート３０は、所定の距離の間隔を開けて並べられてもよい。
【００２６】
各太陽電池サブモジュール２ａ〜２ｄでは、各配線シート３０に１つの太陽電池セル２０が実装されており、各配線シート３０間はインターコネクタ４２により電気的に直列接続されている。さらに、各太陽電池サブモジュール２ａ〜２ｄ間は、インターコネクタ４２を用いて電気的に直列接続されている。このインターコネクタ４２は、各配線シート３０間（及び各太陽電池サブモジュール２ａ〜２ｄ間）を電気的に接続する配線部材である。インターコネクタ４２は、接続される２つの配線シート３０間において、一方の配線パターン３２の正極となる出力端（たとえば後述の第２出力電極３２４ｂ）と、他方の配線パターン３２の負極となる出力端（たとえば後述の第１出力電極３２４ａ）とを電気的に接続する。
【００２７】
また、各太陽電池サブモジュール２ａ〜２ｄの負極側の出力端、及び正極側の出力端は、配線シート３０の一部３０ａとともに、バックシート７の裏面１ｂ側の主面から外部に引き出されている（図２及び図３参照）。これらの出力端には、バイパスダイオード４１が接続されている。なお、図２及び図３では、配線シート３０の一部３０ａを概念的に示している。配線シート３０の一部３０ａは、たとえば、折り返した配線シート３０の隅部であってもよいし、隅部から延長して設けられる部分であってもよい。
【００２８】
バイパスダイオード４１は、太陽電池モジュール１の発電時に太陽電池サブモジュール２を流れる出力電流をバイパス（迂回）するために、太陽電池サブモジュール２の負極側の出力端と正極側の出力端との間に設けられるバイパス素子である。バックシート７の外側（裏面１ｂ側）において、バイパスダイオード４１のアノードは太陽電池サブモジュール２の負極側の出力端と接続され、カソードは正極側の出力端と接続されている。言い換えると、バイパスダイオード４１は、各太陽電池サブモジュール２において、直列接続される太陽電池セル２０と並列に接続されている。このようにバイパスダイオード４１を接続することにより、太陽電池サブモジュール２に遮光物の影が重なったときに生じる事故を防止することができる。
【００２９】
たとえば、太陽電池モジュール１は家屋の屋根又はベランダ、及びビルディングの屋上などに設置されることが多い。このような場合、干された洗濯物、欄干、他の建造物などの遮光物により太陽光線が遮られてしまい、太陽電池モジュール１（又は太陽電池サブモジュール２）の少なくとも一部に太陽光線が十分に照射されない状況が生じる場合がある。太陽光線が十分に照射されない太陽電池セル２０では、その発電量が低下し、その電気抵抗が大きくなり、異常発熱する所謂ホットスポット現象が発生する。発熱した太陽電池セル２０は、たとえば、耐熱温度を越える発熱により破損したり、封止部材６を変質（発泡、白濁化など）させたりする。そのため、太陽電池モジュール１に不具合が生じる。また、各太陽電池セル２０は直列接続されているため、遮光により一部の太陽電池セル２０の発電が停止すると、太陽電池モジュール１（又は太陽電池サブモジュール２）に出力電流が流れなくなる。これらの問題を解消するために、バイパスダイオード４１は設けられている。
【００３０】
次に、太陽電池セル２０及び配線シート３０のより具体的な構成について説明する。図５は、第１実施形態において太陽電池セルが配線シートに実装された構造の一例を示す断面構造図である。図６は、第１実施形態において太陽電池セルが実装された配線シートの一例を示す概略平面図である。また、図７は、太陽電池セルの裏面側の主面に形成される電極パターンの一例を示す概略平面図である。図８は、配線シートの主面に形成される配線パターンの一例を示す概略平面図である。なお、図５は、図６の一点鎖線Ｂ−Ｂにおける断面構造を示している。
【００３１】
図５に示すように、太陽電池セル２０は、接着層４３を介して配線シート３０に実装されている。この接着層４３には、たとえば、はんだや接着剤などが用いられる。また、接着剤としては、導電性を有する接着剤を用いてもよいし、エポキシ系樹脂などの導電性を有さない接着剤を用いてもよい。
【００３２】
次に、太陽電池セル２０の構成について説明する。図５〜図７に示すように、太陽電池セル２０は裏面電極型の太陽電池セル２０である。太陽電池セル２０の光入射面１ａ側の主面には受光面が形成され、裏面１ｂ側の主面には電極パターンが形成されている。この太陽電池セル２０は、図５に示すように、半導体基板２１と、反射防止膜２２と、第１パッシベーション層２３と、第２パッシベーション層２４と、電極パターン２５とを有している。
【００３３】
半導体基板２１の光入射面１ａ側の主面は、太陽電池セル２０の受光面であり、凹凸形状を有している。この主面上には、反射防止膜２２が第１パッシベーション層２３を介して形成されている。また、半導体基板２１の裏面１ｂ側の主面（すなわち、太陽電池セル２０の受光面とは反対側の面）上には第２パッシベーション層２４が設けられている。
【００３４】
半導体基板２１は、たとえば、ｎ型の単結晶シリコン基板を用いて形成される。なお、これに限定されず、多結晶シリコン基板なども利用してもよい。この半導体基板２１は、ｎ型拡散領域２１ａ、ｐ型拡散領域２１ｂ、及びｎ型導電領域２１ｃを含んで構成される。ｎ型拡散領域２１ａはｎ型導電領域２１ｃよりも高濃度のｎ型不純物（たとえば、ＰやＡｓなどの５価の元素）を含む領域である。また、ｐ型拡散領域２１ｂはｐ型不純物（たとえば、ＢやＡｌなどの３価の元素）を含む領域である。ｎ型拡散領域２１ａ及びｐ型拡散領域２１ｂは半導体基板２１の裏面１ｂ側の主面に設けられている。また、ｎ型拡散領域２１ａ及びｐ型拡散領域２１ｂは、太陽電池セル２０のたとえばＹ方向に延びる帯状に形成されているとともに、Ｘ方向に交互に配置されている。
【００３５】
第２パッシベーション層２４上には、図５及び図７に示すように電極パターン２５が設けられている。この電極パターン２５は、複数のｎ電極２５ａ及びｐ電極２５ｂを含んで構成される。ｎ電極２５ａ及びｐ電極２５ｂは、ｎ型拡散領域２１ａ及びｐ型拡散領域２１ｂと同様に、たとえばＹ方向に延びる帯状に形成されている。また、本実施形態では、ｎ電極２５ａ及びｐ電極２５ｂは、所定の線幅（たとえば約０．１２ｍｍ）を有しており、Ｘ方向に所定のピッチ（たとえば約０．７５ｍｍ）で交互に配置されている。また、第２パッシベーション層２４には複数の開口部２４ａが設けられている。この開口部２４ａを通じて、ｎ電極２５ａはｎ型拡散領域２１ａとオーミック接触し、ｐ電極２５ｂはｐ型拡散領域２１ｂとオーミック接触している。
【００３６】
次に、配線シート３０の構成について説明する。配線シート３０は、太陽電池セル２０が実装されるフレキシブル基板の一例である。図５及び図８に示すように、配線シート３０は、基体３１と、配線パターン３２と、を含んで構成される。基体３１は、たとえばポリイミドなどを用いて形成されており、屈曲（湾曲）可能である。なお、本実施形態では、基体３１が略正方形状であるが、本発明の適用範囲はこの構成例に限定されない。たとえば、多角形状（特に略矩形状）であってもよい。
【００３７】
また、この基体３１の一方の主面（光入射面１ａ側の主面）上には、太陽電池セル２０の電極パターン２５と電気的に接続される配線パターン３２が設けられている。この配線パターン３２は、図８に示すように、ｎ電極用配線３２１と、ｐ電極用配線３２２と、接続用配線３２３と、出力電極３２４と、を含んで構成されている。
【００３８】
ｎ電極用配線３２１及びｐ電極用配線３２２は、太陽電池セル２０の各ｎ電極２５ａ及び各ｐ電極２５ｂの配置と対応するように、たとえばＹ方向に延びる帯状に形成されるとともに、Ｘ方向に交互に配置されている。太陽電池セル２０が配線シート３０に実装されるとき、ｎ電極用配線３２１はｎ電極２５ａと電気的に接続され、ｐ電極用配線３２２はｐ電極２５ｂと電気的に接続される。
【００３９】
接続用配線３２３は、２つの接続用配線３２３ａ、３２３ｂを含んで構成される。接続用配線３２３ａは、基体３１の一方端（図８の上側となる端部）に沿って帯状に形成されており、ｎ電極用配線３２１と電気的に接続されている。接続用配線３２３ｂは、一方端と対向する他方端（図８の下側となる端部）に沿って帯状に形成されており、ｐ電極用配線３２２と電気的に接続されている。
【００４０】
出力電極３２４は、２つの第１出力電極３２４ａと、２つの第２出力電極３２４ｂと、を含んで構成されている。これらの第１及び第２出力電極３２４ａ、３２４ｂは基体３１の各隅部に形成されている。また、第１及び第２出力電極３２４ａ、３２４ｂの平面形状は、Ｚ方向から見た平面視において、略矩形状（又は略正方形状）をしている。第１出力電極３２４ａは、接続用配線３２３ａの両端に位置しており、接続用配線３２３ａと電気的に接続されている。また、第２出力電極３２４ｂは、接続用配線３２３ｂの両端に位置しており、接続用配線３２３ｂと電気的に接続されている。配線シート３０に太陽電池セル２０が実装される場合、第１出力電極３２４ａは太陽電池セル２０の出力電流に対して負極側の出力端となり、第２出力電極３２４ｂは正極側の出力端となる。
【００４１】
なお、配線パターン３２の配線構造は図８に示す構成に限定されない。配線パターン３２の構造は、太陽電池サブモジュール２の仕様（たとえば、配線シート３０に実装される太陽電池セル２０及び配線シート３０の数、サイズ、及び形状、１つの太陽電池セル２０に形成されるｎ電極２５ａ及びｐ電極２５ｂの数、配列、サイズ、及び形状、各太陽電池サブモジュール２における太陽電池セル２０及び配線シート３０の配置）などに応じて任意に設定可能である。
【００４２】
以上のように、第１実施形態に係る太陽電池モジュール１は、一方の主面に受光面が設けられるとともに、他方の主面に電極パターンが設けられる複数の太陽電池セル２０と、電極パターンと電気的に接続される配線パターン３２が設けられる複数の配線シート３０と、を備え、略矩形の配線シート３０の隅部に、配線パターン３２の出力端となる出力電極３２４が設けられる。
【００４３】
こうすれば、各配線シート３０の隅部に形成される出力電極３２４同士を接続することにより、各配線シート３０をほぼ隙間なく配置又は近接配置した状態で、各太陽電池セル２０間を電気的に接続することができる。そのため、直列接続される各太陽電池セル２０の配置に制限を受けることを抑制できる。さらに、配線シート３０では、その隅部を除く領域に太陽電池セル２０を設けることができる。そのため、配線シート３０に出力電極３２４を設けても、配線シート３０の主面の面積に対する太陽電池セル２０の受光面積の比率はさほど減少しない。従って、受光面積率を減少させることなく、太陽電池セル２０を自在に配置することができる。
【００４４】
また、第１実施形態に係る太陽電池モジュール１は、太陽電池セル２０と、配線シート３０と、発電時に流れる電流をバイパスするためのバイパスダイオード４１と、を含む太陽電池サブモジュール２を複数備え、各太陽電池サブモジュール２において、バイパスダイオード４１の一端（アノード）が太陽電池サブモジュール２の負極側の出力端に接続され、バイパスダイオード４１の他端（カソード）が太陽電池サブモジュール２の正極側の出力端に接続される。
【００４５】
こうすれば、各太陽電池サブモジュール２において、少なくとも一部の太陽電池セル２０が遮光されたとしても、遮光に起因するホットスポット現象の発生を防止することができる。従って、この現象の発生に伴う太陽電池サブモジュール２（又は太陽電池セル２０）の不具合を防止することができる。
＜第２実施形態＞
【００４６】
本発明の第２実施形態について説明する。第２実施形態では、Ｚ方向から見た平面視における第１及び第２出力電極３２４ａ、３２４ｂの平面形状がそれぞれ異なる。それ以外は、第１実施形態と同様である。なお、以下の実施形態では、第１実施形態と異なる構成を主に説明する。また、第１実施形態と同様の構成には、同一の符号を付し、その説明を省略している。
【００４７】
図９は、第２実施形態において太陽電池セルが接続される配線シートの一例を示す概略平面図である。Ｚ方向から見た平面視において、図９に示すように、配線パターン３２の負極となる第１出力電極３２４ａの平面形状は略矩形（又は略正方形状）をしている。また、配線パターン３２の正極となる第２出力電極３２４ｂの平面形状は略三角形状をしている。なお、第１及び第２出力電極３２４ａ、３２４ｂの平面形状は特に限定されない。第１及び第２出力電極３２４ａ、３２４ｂの各平面形状は、少なくとも互いに異なる形状であればよい。また、第１及び第２出力電極３２４ａ、３２４ｂの各平面形状として、たとえば、多角形状、略円形状（正円、楕円など）、十字形状などが採用されてもよい。
【００４８】
こうすれば、太陽電池セル２０が実装された配線シート３０間を電気的に接続する際に、作業者が配線パターン３２の負極（たとえば第１出力電極３２４ａ）及び正極（たとえば第２出力電極３２４ｂ）を容易に区別して視認することができる。従って、太陽電池モジュール１（特に太陽電池サブモジュール２）の製造工程の作業効率を向上させることができる。
＜第３実施形態＞
【００４９】
次に、本発明の第３実施形態について説明する。第３実施形態では、配線シート３０の裏面１ｂ側の主面（一方の主面）上に出力電極３２４が設けられる。また、光入射面１ａ側の主面（他方の主面）上に、出力電極３２４以外の配線パターン３２が設けられる。さらに、配線シート３０の隅部に形成されるビアホール３３を通じて、出力電極３２４は、該出力電極３２４以外の配線パターン３２と電気的に接続される。これら以外は、第１実施形態と同様である。なお、以下の実施形態では、第１実施形態と異なる構成を主に説明する。また、第１実施形態と同様の構成には、同一の符号を付し、その説明を省略している。
【００５０】
図１０は、第３実施形態において太陽電池セルが接続される配線シートを示す概略平面図である。また、図１１は、配線パターンと出力電極とを接続するビアホールの一例を示す局所断面図である。なお、図１１は、図１０の一点鎖線Ｃ−Ｃにおけるビアホール３３の断面構造を示している。
【００５１】
図１０に示すように、配線シート３０の各隅部において、各接続用配線３２３の両端となる位置にビアホール３３が形成されている。これらのビアホール３３は、配線シート３０の光入射面１ａ側の主面から裏面１ｂ側の主面に貫通する貫通孔である。配線シート３０の光入射面１ａ側の主面では、各ビアホール３３の縁部を含む領域に接続用配線３２３の各端部が形成されている。また、配線シート３０の裏面１ｂ側の主面では、各ビアホール３３の縁部を含む領域に出力電極３２４が形成されている。
【００５２】
さらに、図１１に示すように、各ビアホール３３の内側には、導電材料を用いて導電膜（導電経路）が形成されている。そのため、各接続用配線３２３の両端は、各ビアホール３３の内側の導電膜を介して、出力電極３２４と電気的に接続されている。なお、図１１では、ビアホール３３の内側に導電膜を形成しているが、本発明の適用範囲はこの構成例に限定されない。各ビアホール３３の内部は導電材料で充填されていてもよい。
【００５３】
このように、第３実施形態では、配線シート３０の裏面１ｂ側の主面上に出力電極３２４を設けることができる。そのため、太陽電池セル２０が実装される光入射面１ａ側の主面上に出力電極３２４を形成する領域を確保する必要が無い。従って、配線シート３０の主面の面積に対する太陽電池セル２０の受光面積の比率をより大きくすることができる。
【００５４】
さらに、第３実施形態では、Ｚ方向から見た平面視において、出力電極３２４は、太陽電池セル２０と重なる領域に設けられる。こうすれば、配線シート３０の光入射面１ａ側の主面上のほぼ全域を、たとえば、出力電極３２４以外の配線パターン３２の形成、及び太陽電池セル２０の実装などに活用することができる。従って、配線シート３０の主面の面積に対する太陽電池セル２０の受光面積の比率をさらに大きくすることができる。
【００５５】
なお、図１０及び図１１では、Ｚ方向から見た平面視において、第１及び第２出力電極３２４ａ、３２４ｂの一部が太陽電池セル２０と重なる領域に設けられているが、本発明の適用範囲はこの構成例に限定されない。第１及び第２出力電極３２４ａ、３２４ｂの少なくとも一方が全て、太陽電池セル２０と重なる領域に設けられてもよい。また、第３実施形態では、Ｚ方向から見た平面視における第１及び第２出力電極３２４ａ、３２４ｂに、略同一の平面形状を採用しているが、第２実施形態と同様に、それぞれ異なる平面形状を採用してもよい。
【００５６】
以上、本発明について実施形態をもとに説明した。この実施形態は例示であり、その各構成要素や各処理の組み合わせに色々な変形例が可能であり、本発明の範囲にあることは当業者に理解されるところである。
【００５７】
たとえば、上述の第１〜第３実施形態では、太陽電池モジュール１が４つの太陽電池サブモジュール２ａ〜２ｄを備える構成としたが、本発明の適用範囲はこの構成例に限定されない。太陽電池モジュール１は１以上の太陽電池サブモジュール２を備えていればよい。
【００５８】
また、上述の第１〜第３実施形態では、各太陽電池サブモジュール２が５つの太陽電池セル２０及び５つの配線シート３０を含む構成としたが、本発明の適用範囲はこの構成例に限定されない。各太陽電池サブモジュール２は、１以上の太陽電池セル２０と、１以上の配線シート３０とを含んでいればよい。また、各太陽電池サブモジュール２において、直列接続される各太陽電池セル２０の配置も任意に設定可能である。また、各太陽電池サブモジュール２毎に含まれる太陽電池セル２０及び配線シート３０のうちの少なくとも一方の数は異なっていてもよい。
【００５９】
また、上述の第１〜第３実施形態では、各配線シート３０に１つの太陽電池セル２０が実装される構成としたが、本発明の適用範囲はこの構成例に限定されない。１つの配線シート３０の主面上に１以上の太陽電池セル２０が実装されていればよい。
【００６０】
また、上述の第１〜第３実施形態では、第１又は第２出力電極３２４ａ、３２４ｂが２ずつ設けられているが、本発明の適用範囲はこの構成例に限定されない。第１又は第２出力電極３２４ａ、３２４ｂは、それぞれ少なくとも１つ以上設けられてもよい。さらに、上述の第１〜第３実施形態では、基体３１の各隅部に第１又は第２出力電極３２４ａ、３２４ｂが設けられているが、本発明の適用範囲はこの構成例に限定されない。全ての隅部のうちの少なくとも１つに、第１又は第２出力電極３２４ａ、３２４ｂが設けられてもよい。このほか、上述の第１〜第３実施形態では、２つの第１出力電極３２４ａがＹ方向の一方の端部において隣り合う隅部に設けられ、２つの第２出力電極３２４ｂがＹ方向の他方の端部において隣り合う隅部に設けられているが、本発明の適用範囲はこの構成例に限定されない。第１及び第２出力電極３２４ａ、３２４ｂはそれぞれ、第１出力電極３２４ａ同士及び第２出力電極３２４ｂ同士のうちの少なくともいずれかが隣り合う隅部に設けられないようにしてもよい。たとえば、第１及び第２出力電極３２４ａ、３２４ｂはそれぞれ基体３１の対角線上にて対向する隅部に設けられてもよい。
【００６１】
また、上述の第１〜第３実施形態では、半導体基板２１のＸ方向の両端にｐ型拡散領域２１ｂが設けられているが、本発明の適用範囲はこの構成例に限定されない。半導体基板２１のＸ方向の両端にｎ型拡散領域２１ａが設けられていてもよい。基体３１に設けられたｎ電極用配線３２１及びｐ電極用配線３２２に関しても同様である。
【符号の説明】
【００６２】
１          太陽電池モジュール
１ａ            光入射面
１ｂ            裏面
２            太陽電池サブモジュール
２０            太陽電池セル
２１              半導体基板
２１ａ              ｎ型拡散領域
２１ｂ              ｐ型拡散領域
２１ｃ              ｎ型導電領域
２２              反射防止膜
２３              第１パッシベーション層
２４              第２パッシベーション層
２４ａ              開口部
２５              電極パターン
２５ａ              ｎ電極
２５ｂ              ｐ電極
３０            配線シート
３１              基体
３２              配線パターン
３２１              ｎ電極用配線
３２２              ｐ電極用配線
３２３              接続用配線
３２４              出力電極
３２４ａ              第１出力電極
３２４ｂ              第２出力電極
３３              ビアホール
４１            バイパスダイオード
４２            インターコネクタ
４３            接着層
５            基板
６            封止部材
６１            第１封止部材
６２            第２封止部材
７            バックシート
８            端子ボックス
８１            出力用配線
９            枠体
【図１】
2014049724.tif 000003
【図２】
2014049724.tif 000004
【図３】
2014049724.tif 000005
【図４】
2014049724.tif 000006
【図５】
2014049724.tif 000007
【図６】
2014049724.tif 000008
【図７】
2014049724.tif 000009
【図８】
2014049724.tif 000010
【図９】
2014049724.tif 000011
【図１０】
2014049724.tif 000012
【図１１】
2014049724.tif 000013